(57)【特許請求の範囲】
【請求項１】
部屋の側壁、床、および天井のうちの少なくともいずれかを構成し、所定方向に長さを有する後方面部材と、
前記後方面部材と平行かつ前記後方面部材から前方に離れて配置され、前記所定方向に沿う長さが前記後方面部材よりも短い前方面部材と、
前記後方面部材の前方に配置される吸音材と、
前記前方面部材の前記所定方向に沿う長さが前記後方面部材よりも短いことによって、前記後方面部材の前方かつ、前記前方面部材と前記所定方向に隣接する位置に形成される開口部とを備え、
前記吸音材は、前記開口部から露出する第１領域に設けられ、かつ、前記前方面部材と前記後方面部材とに挟まれる第２領域にまで延在する、防音室。
【請求項２】
前記吸音材は、前記第１領域の部分において高音域の音を吸収し、前記第２領域の部分において低音域の音を吸収する、請求項１に記載の防音室。
【請求項３】
前記所定方向における前記前方面部材の長さ寸法は、前記所定方向における前記開口部の開口寸法よりも長い、請求項１または２に記載の防音室。
【請求項４】
前記開口部の開口寸法を１とした場合、前記前方面部材の長さ寸法は２以上である、請求項３に記載の防音室。
【請求項５】
前記所定方向における前記前方面部材の長さ寸法は、前記第１領域の奥行き寸法よりも長い、請求項１または２に記載の防音室。
【請求項６】
前記開口部の開口寸法は、０．５モジュールである、請求項１〜５のいずれかに記載の防音室。
【請求項７】
前記第２領域に、低音域の音響を可変とするための低音音響可変機構をさらに備える、請求項１〜６のいずれかに記載の防音室。
【請求項８】
前記第１領域から前記第２領域内へ向かう低音域の音の通路の開口面積を調整するための仕切り部材を含む、低音音響可変機構をさらに備える、請求項１〜６のいずれかに記載の防音室。
【請求項９】
前記仕切り部材は、前記所定方向に対する角度が可変となるように設けられた板状部材によって形成されている、請求項８に記載の防音室。
【請求項１０】
前記開口部から露出する前記吸音材の露出面積を調整することで、音響を可変とするための音響可変機構をさらに備える、請求項１〜９のいずれかに記載の防音室。
【請求項１１】
音を吸収するための吸音構造であって、
所定方向に長さを有する後方面部材と、
前記後方面部材と平行かつ前記後方面部材から前方に離れて配置され、前記所定方向に沿う長さが前記後方面部材よりも短い前方面部材と、
前記後方面部材の前方に配置される吸音材と、
低音音響可変機構とを備え、
前記吸音材は、前記前方面部材と前記所定方向に隣接して位置する開口部から露出する第１領域に設けられ、かつ、前記前方面部材と前記後方面部材とに挟まれる第２領域にまで延在し、
前記低音音響可変機構は、前記第１領域から前記第２領域内へ向かう低音域の音の通路の開口面積を調整するための仕切り部材を含む、吸音構造。
【発明の詳細な説明】
【技術分野】
【０００１】
本発明は、吸音構造および防音室に関し、特に、オーディオルームに適した吸音構造、および、これを備えた防音室に関する。
【背景技術】
【０００２】
ピアノなどの楽器を演奏したり、音楽を聴いたりすることを主目的とした部屋（オーディオルーム）では、防音性のみならず良い音の響き（音響）が求められる。良い音響を作り出すための手法の一つに「吸音」があり、従来から、吸音天井材、吸音壁材、および、壁掛け式または置き型の吸音パネルなどが存在する。
【０００３】
たとえば特開２００５−１４６６５０号公報（特許文献１）では、二重壁の間に存在する空気層において特定の周波数の音を吸音するために、壁内空間に設けられた間柱に複数のヘルムホルツ共鳴器を形成した吸音構造が提案されている。具体的には、間柱を垂直方向に延在する中空管で構成し、該間柱の側面に、壁内空間に開口する複数の開口部を設け、かつ、開口部の周辺部を他の部分よりも側方に突出した筒型形状とすることが開示されている。
【０００４】
また、部屋のコーナー部に低音がたまり、響きのバランスが悪くなるブーミングという音響障害を低減するために、コーナー部に吸音材を置くことが有効であるということが、建築音響の業界では知られている。たとえば、特開２０１４−１４１８２２号公報（特許文献２）では、防音室のコーナー部に、略三角柱形状の吸音体を配置し、厚みの厚い部分で低音域の音を吸収し、厚みの薄い部分で高音域の音を吸収する技術が提案されている。また、当該文献では、音響を可変とするために、吸音体の吸音面（表面）の露出面積を可変とする可変機構を付加することも提案されている。
【先行技術文献】
【特許文献】
【０００５】
【特許文献１】特開２００５−１４６６５０号公報
【特許文献２】特開２０１４−１４１８２２号公報
【発明の概要】
【発明が解決しようとする課題】
【０００６】
上記特許文献２のように、コーナー部に設置された略三角柱形状の吸音体の吸音性能を高めるためには、吸音体の寸法を大きくすればよい。しかし、コーナー部の吸音体の寸法をあまり大きくすると、部屋内の空間が狭くなるだけでなく、意匠上も望ましくないため、実用性に乏しい。
【０００７】
また、上記特許文献１の技術は、特殊な構造の間柱が必要となるため、簡易な構造で吸音性能を向上させる技術が求められていた。
【０００８】
本発明は、上記のような課題を解決するためになされたものであって、その目的は、簡易な構造で吸音性能を向上させることのできる吸音構造および防音室を提供することである。
【課題を解決するための手段】
【０００９】
この発明のある局面に従う吸音構造は、音を吸収するための吸音構造であって、所定方向に長さを有する後方面部材と、所定方向に沿う長さが後方面部材よりも短い前方面部材と、後方面部材の前方に配置される吸音材とを備えている。前方面部材は、後方面部材と平行かつ後方面部材から前方に離れて配置されている。吸音材は、前方面部材と所定方向に隣接して位置する開口部から露出する第１領域に設けられ、かつ、前方面部材と後方面部材とに挟まれる第２領域にまで延在している。
【００１０】
好ましくは、吸音材は、第１領域の部分において高音域の音を吸収し、第２領域の部分において低音域の音を吸収する。
【００１１】
好ましくは、所定方向における前方面部材の長さ寸法は、所定方向における開口部の開口寸法よりも長い。
【００１２】
より好ましくは、開口部の開口寸法を１とした場合、前方面部材の長さ寸法は２以上である。
【００１３】
所定方向における前方面部材の長さ寸法は、第１領域の奥行き寸法よりも長いことが望ましい。
【００１４】
また、開口部の開口寸法は、０．５モジュールであるであることが望ましい。
【００１５】
好ましくは、吸音構造は、第２領域に、低音域の音響を可変とするための低音音響可変機構をさらに備える。
【００１６】
あるいは、吸音構造は、第１領域から第２領域内へ向かう低音域の音の通路の開口面積を調整するための仕切り部材を含む、低音音響可変機構をさらに備えていてもよい。
【００１７】
仕切り部材は、所定方向に対する角度が可変となるように設けられた板状部材によって形成されていてもよい。
【００１８】
好ましくは、吸音構造は、開口部から露出する吸音材の露出面積を調整することで、音響を可変とするための音響可変機構をさらに備える。
【００１９】
後方面部材は、部屋の側壁、床、および天井のうちの少なくともいずれかを構成していてもよい。
【００２０】
この発明の他の局面に従う防音室は、所定方向に長さを有する後方面部材と、所定方向に沿う長さが後方面部材よりも短い前方面部材と、後方面部材の前方に配置される吸音材とを備えている。後方面部材は、部屋の側壁、床、および天井のうちの少なくともいずれかを構成している。前方面部材は、後方面部材と平行かつ後方面部材から前方に離れて配置されている。吸音材は、前方面部材と所定方向に隣接して位置する開口部から露出する第１領域に設けられ、かつ、前方面部材と後方面部材とに挟まれる第２領域にまで延在している。
【発明の効果】
【００２１】
本発明によれば、簡易な構造で吸音性能を向上させることができる。また、吸音材の厚みを大きくしなくてもよいため、実用性を向上させることもできる。
【図面の簡単な説明】
【００２２】
【図１】本発明の実施の形態１に係る防音室を模式的に示す断面図である。
【図２】本発明の実施の形態１に係る防音室を室内側から（図１の矢印ＩＩの方向から）見た図である。
【図３】本発明の実施の形態１に係る吸音構造に含まれる吸音材の断面構造を模式的に示す図である。
【図４】本発明の実施の形態１に係る吸音構造の構成を模式的に示す図である。
【図５】本発明の実施の形態１に係る吸音構造と他の壁構造とを比較した、低音域の音の吸音性についての実験結果を示すグラフである。
【図６】比較例の壁構造の構成を示す図である。
【図７】比較例の壁構造の構成を示す図である。
【図８】比較例の壁構造の構成を示す図である。
【図９】本発明の実施の形態１に係る吸音構造と他の壁構造とを比較した、低音から高音までの吸音特性についての実験結果を示すグラフである。
【図１０】比較例の壁構造の構成を示す図である。
【図１１】比較例の壁構造の構成を示す図である。
【図１２】本発明の実施の形態１に係る吸音構造の下地部材の一例を模式的に示す図である。
【図１３】（Ａ），（Ｂ）は、本発明の実施の形態１に係る吸音構造の下地部材の他の例を模式的に示す図である。
【図１４】１２５Ｈｚの音波を模式的に示す図である。
【図１５】本発明の実施の形態２に係る吸音構造を模式的に示す断面図であり、（Ａ）は、全開状態の低音音響可変機構を示し、（Ｂ）は、全閉状態の低音音響可変機構を示している。
【図１６】低音音響可変機構を構成する仕切り部材の材料と吸音効果との関係を示すグラフである。
【図１７】本発明の実施の形態２の変形例に係る吸音構造を模式的に示す断面図である。
【図１８】低音音響可変機構を構成する仕切り部材の角度変化と低音の吸音性との関係を示すグラフである。
【図１９】本発明の実施の形態３に係る吸音構造を模式的に示す図である。
【図２０】本発明の実施の形態４に係る防音室を模式的に示す図である。
【図２１】本発明の他の実施形態に係る防音室を室内側から見た図である。
【図２２】本発明のさらに他の実施形態に係る吸音装置を示す斜視図である。
【発明を実施するための形態】
【００２３】
本発明の実施の形態について図面を参照しながら詳細に説明する。なお、図中同一または相当部分には同一符号を付してその説明は繰返さない。
【００２４】
＜実施の形態１＞
はじめに、本実施の形態に係る防音室の概要について説明する。なお、本実施の形態において、音の発生源に近い側（部屋の中心側）を「前方」、遠い側を「後方」という。
【００２５】
図１および図２を参照して、防音室９は、床９１、側壁９２〜９５、および天井９６によって囲まれた部屋である。本実施の形態では、たとえば１つの側壁９２が、室内で発生した音を吸収するための吸音構造１を有している。吸音構造１は、後方面部材２１と、前方面部材２２と、音を吸収するための吸音材３とを備えている。
【００２６】
後方面部材２１は、矩形形状であり、上下方向および横幅方向に長さを有している。後方面部材２１は、防音室９の側壁９３，９５と直交している。前方面部材２２は、後方面部材２１と平行かつ後方面部材２１から前方に離れて配置されている。前方面部材２２も、矩形形状であり、上下方向および横幅方向に長さを有している。図２の矢印Ａ１は、横幅方向を示している。
【００２７】
後方面部材２１および前方面部材２２は剛性を有しており、前方面部材２２と後方面部材２１とで二重壁を構成している。つまり、後方面部材２１および前方面部材２２の両方が、側壁９２を構成している。
【００２８】
ただし、前方面部材２２の横幅は、横幅が後方面部材２１よりも短い。そのため、後方面部材２１の前方であって前方面部材２２と横幅方向に隣接した位置には、開口部２３が形成されている。
【００２９】
吸音材３は、開口部２３から露出する領域（以下「第１領域」という）２４に設けられており、かつ、後方面部材２１と前方面部材２２とに挟まれる空気層の領域（以下「第２領域」という）２５にまで延在している。つまり、吸音材３は、第１領域２４内に位置し、部屋内に露出する部分（以下「露出吸音部」という）３１と、第２領域２５内に位置し、前方面部材２２に隠された部分（以下「背後吸音部」という）３２とで構成されている。
【００３０】
なお、吸音材３は、グラスウールやロックウールなど一般的な吸音体で構成されてもよいし、図３に示されるような、複数の層部材からなる層状の吸音体で構成されてもよい。図３では、露出吸音部３１および背後吸音部３２の双方とも、厚み方向に層が形成されるように、複数の層部材が配置されている。個々の層部材は、たとえば、ＰＥＴ（Ｐｏｌｙｅｔｈｙｌｅｎｅｔｅｒｅｐｈｔｈａｌａｔｅ：ポリエチレンテレフタレート）繊維が複雑に絡め合わせられて形成されており、その密度はたとえば３０ｋｇ／ｍ３である。
【００３１】
本実施の形態によれば、部屋（防音室９）内には、前方面部材２２の表面と、吸音材３の一部（露出吸音部３１）の表面とが露出しているため、部屋内で発生した音の一部は、前方面部材２２において反射され、他の一部は、開口部２３から吸音材３の露出吸音部３１に入射して吸音される。
【００３２】
ここで、本実施の形態では、吸音材３は、露出吸音部３１と横幅方向に隣接する背後吸音部３２を有しているため、高音域の音（以下、単に「高音」ともいう）は露出吸音部３１において吸収し、低音域の音（以下、単に「低音」ともいう）は、第２領域２５に回折させて、背後吸音部３２において吸収することができる。したがって、吸音材３の厚みを抑えたままで、吸音材３において、幅広い音域の音を吸音することができる。
【００３３】
次に、吸音材３において低音を適切に吸音でき、かつ、低音から高音までバランスよく吸音できる吸音構造１の構成（サイズまたは比率）について説明する。図４は、本実施の形態に係る吸音構造１の構成例を示す図である。
【００３４】
図４に示されるように、本実施の形態では、開口部２３の開口寸法Ｄ１は、０．５Ｐであり、前方面部材２２の横幅寸法（以下「反射壁寸法」ともいう）Ｄ２は、１．５Ｐである。１Ｐは、建物の設計上の１モジュールを表わしており、９１０ｍｍまたは１０００ｍｍを示す。
【００３５】
吸音材３の厚み寸法Ｄ３は、たとえば１００ｍｍである。厚み寸法Ｄ３は、第１領域２４および第２領域２５の奥行き寸法にも等しい。なお、図４では、便宜上、厚みを大きく示している。本実施の形態では、露出吸音部３１と背後吸音部３２とは同じ厚みであるものとするが、露出吸音部３１は、前方面部材２２の板厚分だけ前方に張り出していてもよい。また、露出吸音部３１の表面には、化粧パネル（図示せず）が取り付けられてもよい。
【００３６】
このような構成の吸音構造１の吸音性能について、比較例を用いた実験結果を参照しながら説明する。なお、実験では、吸音材３として、図３に示したような層状の吸音体が用いられている。
【００３７】
まず、図５〜図８を参照して、吸音構造１の低音の吸音性能（吸音力）について説明する。図５には、本実施の形態に係る吸音構造１と他の壁構造とを比較した、低音域の音の吸音性についての実験結果が示されている。図６〜８には、比較例の壁構造１０１〜１０３の構成がそれぞれ示されている。この実験では、後方面部材２１の横幅を２Ｐに固定して、開口部２３の開口寸法Ｄ１のみを変えている。
【００３８】
本実施の形態に係る吸音構造１は、開口寸法Ｄ１が０．５Ｐであるため、「１／４吸音」の壁構造である。図６に示される壁構造１０１では、開口寸法Ｄ１が１Ｐであるため、「１／２吸音」の壁構造である。図７に示される壁構造１０２は、前方面部材２２が設けられておらず、開口寸法Ｄ１が２Ｐであるため、「全吸音」の壁構造である。図８に示される壁構造１０３は、開口部２３が設けられていないため、「吸音無し」の壁構造である。
【００３９】
図５のグラフには、図８の「吸音無し」の壁構造１０３と比較して、吸音構造１および壁構造１０１，１０２それぞれについて、低音から中音（１２５〜１０００Ｈｚ）の音響の大きさが音圧レベル（単位：ｄＢ）として示されている。
【００４０】
図７の「全吸音」の壁構造１０２では、低音の吸音率が中音の吸音率よりもかなり低い。また、図６の「１／２吸音」の壁構造１０１では、壁構造１０２に比べて、低音の吸音率が若干向上しているが、依然として、中音の吸音率の方が高い。これに対し、本実施の形態に係る「１／４吸音」の吸音構造１は、さらに低音の吸音率が向上しており、中音の吸音率と同程度となっている。
【００４１】
以上の結果より、開口寸法Ｄ１が０．５Ｐである吸音構造１は、優れた低音の吸音性能を有していることが分かる。
【００４２】
次に、図８〜図１１を参照して、吸音構造１の吸音バランスについて説明する。図９には、本実施の形態に係る吸音構造１と他の壁構造とを比較した、低音から高音までの吸音特性についての実験結果が示されている。図１０および図１１には、比較例の壁構造１０４，１０５の構成がそれぞれ示されている。上記した低音の吸音性についての実験結果より、開口寸法Ｄ１は０．５Ｐが望ましいことが判明しているため、この実験では、開口寸法Ｄ１を０．５Ｐに固定して、開口寸法Ｄ１と反射壁寸法Ｄ２との比率のみを変えている。
【００４３】
本実施の形態に係る吸音構造１では、開口寸法Ｄ１と反射壁寸法Ｄ２との比は、１：３である。図１０に示される壁構造１０４では、開口寸法Ｄ１と反射壁寸法Ｄ２との比は、１：１であり、前方面部材２２の両横に、開口寸法０．５Ｐの開口部２３がそれぞれ設けられている。図１１に示される壁構造１０５では、開口寸法Ｄ１と反射壁寸法Ｄ２との比は、１：２である。
【００４４】
図９のグラフには、図８の「吸音無し」の壁構造１０３と比較して、吸音構造１および壁構造１０４，１０５それぞれについて、低音から高音まで（１２５〜４０００Ｈｚ）の音響の大きさが音圧レベル（単位：ｄＢ）として示されている。
【００４５】
図１０の「吸音１：反射１」の壁構造１０４では、高音になるほど音圧レベルが低下しており、吸音バランスがよくない。また、図１１の「吸音１：反射２」の壁構造１０５では、壁構造１０１に比べて、吸音バランスは向上しているが、依然として、高音の音圧レベルの方が低い。これに対し、本実施の形態に係る「吸音１：反射３」の吸音構造１では、低音から高音まで、ほぼ一定の音圧レベルを示しており、平坦な吸音特性を有している。
【００４６】
以上の結果より、開口寸法Ｄ１と反射壁寸法Ｄ２との比が１：３である吸音構造１は、低音から高音までバランス良く吸音できることが分かる。
【００４７】
なお、第２領域２５内（背後吸音部３２）に、横幅方向に音を通すためには、後方面部材２１と前方面部材２２とを支持する下地部材は、横幅方向に貫通する部分を有している必要がある。具体的には、たとえば、図１２に示されるような下地部材４、あるいは、図１３に示されるような下地部材４Ａが採用され得る。なお、図１２および図１３では、吸音材３の図示を省略している。
【００４８】
下地部材４は、上下方向に間隔をあけて、横幅方向に貫通する複数の切欠き４０を有している。図１２では、前方面部材２２側に切欠き４０が向いているが、後方面部材２１側に切欠き４０が向いていてもよい。
【００４９】
下地部材４Ａは、図１３（Ｂ）に示されるように、複数の縦桟４１と複数の横桟４２とを有し、すのこ状に形成されている。この場合、図１３（Ａ）に示されるように、たとえば前方面部材２２に縦桟４１が当接し、後方面部材２１に横桟４２が当接するように設置される。
【００５０】
上述のように、本実施の形態の吸音構造１によれば、背後吸音部３２において低音を吸収させる構成であるため、吸音材３の厚みを抑えることができる。したがって、防音室９内の空間を広く使用することができるため、実用性および意匠性を向上させることができる。また、簡易な構造で、優れた吸音性能を実現することができる。その結果、吸音構造１を備えた防音室９において、心地良い音響を作り出すことができるため、防音室９を快適なオーディオルームとして提供することができる。
【００５１】
なお、防音室９に備えられる吸音構造１の構成（サイズまたは比率）は、次のような構成であってもよい。
【００５２】
開口部２３の開口寸法Ｄ１と反射壁寸法Ｄ２との比は、１：２としてもよい。つまり、開口寸法Ｄ１を１とした場合、反射壁寸法Ｄ２は２以上であれば望ましい。図９に示した実験結果において、「吸音１：反射２」の壁構造１０５であっても、比較的バランスの良い吸音特性を示していたからである。あるいは、反射壁寸法Ｄ２が、開口寸法Ｄ１よりも単に長いだけであってもよい。
【００５３】
なお、吸音材３の材料や密度によって、各音域の吸音率にバラつきがあるとも考えられるが、背後吸音部３２の横幅寸法、すなわち反射壁寸法Ｄ２は、低音域（１２５Ｈｚ）の音波の１／２波長以上あればよい。図１４には、その長さ（１／２波長）Ｗ１が示されており、具体的には略１．５Ｐである。また、背後吸音部３２の厚み寸法（Ｄ３）、すなわち第２領域２５の奥行き寸法は、具体的には略１００ｍｍである。
【００５４】
ただし、第２領域２５（および第１領域２４）の奥行き寸法が、１００ｍｍより大きい場合でも、低音を吸収する背後吸音部３２の横幅寸法、すなわち反射壁寸法Ｄ２は、少なくとも、高音を吸収する露出吸音部３１の厚み寸法Ｄ３、すなわち第１領域２４（および第２領域２５）の奥行き寸法よりも長い。
【００５５】
＜実施の形態２＞
次に、本発明の実施の形態２に係る防音室の吸音構造について説明する。本実施の形態では、吸音構造が、低音域の音響を可変とする機能を有している。
【００５６】
図１５（Ａ），（Ｂ）は、実施の形態２に係る吸音構造１Ａを模式的に示す断面図である。吸音構造１Ａの基本的な構成は、実施の形態１で示した吸音構造１と同様である。したがって、以下に、実施の形態１の吸音構造１と異なる点のみ説明する。
【００５７】
吸音構造１Ａは、低音音響可変機構５を備えている。低音音響可変機構５は、第１領域２４から第２領域２５内へ向かう低音域の音の通路の開口面積（以下「通路面積」という）を調整することで、低音の吸音率を変化させることができる。つまり、低音域の音響を可変とすることができる。
【００５８】
低音音響可変機構５は、典型的には、板状の仕切り部材５１によって実現可能である。仕切り部材５１は、たとえば、第１領域２４および第２領域２５の奥行き寸法以上の幅を有し、それらの高さ寸法（図２に示す床９１から天井９６までの高さ）と略同じ長さを有している。このような仕切り部材５１が、開口部２３の前方面部材２２側の端部から、第１領域２４と第２領域２５との境界面２６またはその付近に、吸音材３を分断するように差し込まれることで、低音の通路面積を小さくすることができる。この場合、吸音材３には、仕切り部材５１を厚み方向に挿入するための切り込み、または、隙間が設けられているものとする。
【００５９】
図１５（Ａ）の状態では、仕切り部材５１が境界面２６に差し込まれていないため、低音の通路面積は最大であり、全開状態である。この場合、実施の形態１で示したように、低音は高音と同様に十分に吸音される。一方、図１５（Ｂ）の状態では、仕切り部材５１が境界面２６に完全に差し込まれているため、低音の通路面積はゼロ（最小）であり、全閉状態である。この場合、低音の吸音率が低下するため、室内では低音の音響が大きくなる。なお、仕切り部材５１を容易に抜き差し可能とするために、たとえば防音室９の床９１および天井９６にレール（図示せず）が設けられてもよい。
【００６０】
仕切り部材５１によって第２領域２５への低音の通過を効果的に遮断または低減するためには、仕切り部材５１は剛性を有する板状部材であることが望ましい。このことについては、図１６に示す実験結果を参照しながら説明する。
【００６１】
図１６は、仕切り部材５１の材料と吸音効果との関係を示すグラフである。この実験では、仕切り部材５１の材料を変えて、図１５（Ｂ）に示すように仕切り部材５１を完全に差し込んだ状態で行われた。
【００６２】
図１６の実験結果から、剛性の無いビニールシートでは、さほど低音の吸音率は低下しないが、剛性の有る合板やスチレンボードでは、狙い通り、低音の吸音率が低くなっていることが分かる。なお、この実験結果から、仕切り部材５１が剛性を有しているか否かに関わらず、仕切り部材５１によって低音の通路を全閉状態としても、１０００Ｈｚ以上の高音の吸音性に影響しないことも明らかとなっている。
【００６３】
上述のように、本実施の形態によれば、低音の音響を可変とすることができるため、低音の吸音率をわざと下げることで、吸音構造１Ａをウーファーあるいはサブウーファーのように機能させることもできる。したがって、使用する楽器の種類などに応じて、快適な音響を作り出すことができる。
【００６４】
なお、仕切り部材５１の上下方向の長さは、境界面２６の高さ寸法と略同じであることとしたが、それよりも短くてもよい。つまり、仕切り部材５１は、全閉状態においても、一部、低音の通路を開放するような構成であってもよい。
【００６５】
また、低音音響可変機構５は、他の構成であってもよい。低音音響可変機構５の変形例について説明する。
【００６６】
（変形例）
図１７は、実施の形態２の変形例に係る吸音構造１Ｂを模式的に示す断面図である。吸音構造１Ｂは、低音音響可変機構５Ａを備えている。低音音響可変機構５Ａは、上記低音音響可変機構５と同様に仕切り部材５１を含んでいるが、その配置位置、および、通路面積の調整の仕方が、低音音響可変機構５とは異なる。
【００６７】
低音音響可変機構５Ａでは、仕切り部材５１は、第２領域２５に内蔵されている。この場合、仕切り部材５１を回転させることによって、低音の通路面積を調整可能である。つまり、仕切り部材５１は、横幅方向に対する角度が可変となるように設けられている。なお、仕切り部材５１は、第２領域２５の入り口付近（上記した境界面２６付近）に設けられることが望ましい。
【００６８】
この場合、低音の通路を開閉するためには、仕切り部材５１は、その中心線を回転軸として、９０°回転可能であればよい。仕切り部材５１の向きが横幅方向に対し９０°の状態（図１５（Ｂ）のように、厚み方向に平行に配置された状態）が、全閉状態である。これに対し、図１７に示すように、仕切り部材５１の向きが横幅方向に対して０°の状態が、全開状態である。
【００６９】
図１８は、仕切り部材５１の角度変化と低音の吸音性との関係を示すグラフである。なお、この実験には、仕切り部材５１として、板厚２．５ｍｍの合板が用いられている。図１８の実験結果から、仕切り部材５１を第２領域２５の入り口付近に内蔵したとしても、吸音構造１Ｂは、仕切り部材５１の角度変化に比例した吸音特性を示すことが分かる。
【００７０】
なお、低音音響可変機構５Ａにおいては、仕切り部材５１を第２領域２５内で回転可能とするために、仕切り部材５１の回転範囲には、吸音材３を設けなくてもよい。つまり、図１７に示すように、第２領域２５の空洞部２５０内に配置されてもよい。空洞部２５０は、たとえば、その両横が、上下方向に間隔をあけて設けられた仕切り桟５２によって区切られた領域である。
【００７１】
また、仕切り部材５１の回転を室内側から容易に行うために、低音音響可変機構５Ａは、仕切り部材５１の回転軸に連結された操作レバー５３を含んでもよい。この場合、前方面部材２２のうち、空洞部２５０の前方に位置する部分に、一部、操作レバー５３の先端部を露出させるための操作用開口２２０が設けられてもよい。
【００７２】
なお、本変形例のように、第２領域２５に空洞部２５０を設けるような場合には、全開状態における低音の吸音力が若干低下してしまうのを避けるために、空洞部２５０の横幅分、後方面部材２１および前方面部材２２の横幅寸法を大きくしてもよい。そうすることで、背後吸音部３２の横幅寸法を、上記実施の形態２での寸法と同じにすることができる。
【００７３】
＜実施の形態３＞
次に、本発明の実施の形態３に係る防音室の吸音構造について説明する。本実施の形態では、吸音構造が、全音域の音響を可変とする機能を有している。
【００７４】
図１９は、実施の形態３に係る吸音構造１Ｃを模式的に示す図である。吸音構造１Ｃの基本的な構成も、実施の形態１の吸音構造１と同様である。したがって、ここでも、実施の形態１の吸音構造１と異なる点のみ説明する。
【００７５】
吸音構造１Ｃは、音響可変機構６を備えている。音響可変機構６は、開口部２３から露出する吸音面（すなわち、露出吸音部３１の表面）の露出面積を調整することで、音全体の吸音率を変化させることができる。
【００７６】
具体的には、音響可変機構６は、開口部２３に設けられ、たとえば、ガラリのように、複数の羽板６１で構成されている。各羽板６１は、横幅方向に延び、上下方向に角度を変えることができる。そのため、羽板６１の角度を変えることで、吸音材３の吸音面の露出面積を調整可能である。すなわち、羽板６１で吸音面の全体または一部を閉鎖すると、音全体の吸音率が下がるため、全音域の音響が大きくなる。
【００７７】
したがって、本実施の形態においても、使用する楽器の種類などに応じて、快適な音響を作り出すことができる。
【００７８】
なお、音響可変機構６は、図１９のような構成に限定されず、１または複数の扉によって構成されてもよい。
【００７９】
＜実施の形態４＞
上記実施の形態１〜３では、横幅２Ｐの側壁を有する防音室を例に説明したが、それ以外の横幅の側壁に囲まれた防音室にも、上記したような吸音構造を適用可能である。この場合の防音室の構成例について説明する。
【００８０】
図２０は、実施の形態４に係る防音室９Ａを模式的に示す図である。防音室９Ａは、横幅３Ｐの側壁９２，９４と横幅４Ｐの側壁９３，９５とを有している。
【００８１】
４Ｐの各側壁９３，９５では、たとえば実施の形態１で示した吸音構造１を１ユニットとし、横幅方向に２つの吸音構造１が並べられている。本実施の形態では、前方面部材２２と開口部２３との左右の位置関係が同じになるように、２つのユニットが並べられている。この場合、ユニット間には、音の通過を遮断するための仕切り材７１が設けられてもよい。
【００８２】
あるいは、開口部２３が防音室９Ａのコーナー部付近に配置されるように、前方面部材２２と開口部２３との位置関係が左右対称となるように、２つの吸音構造１が並べられてもよい。いずれにしても、後方面部材２１は一続きであってよい。
【００８３】
また、３Ｐの側壁９２は、たとえば、吸音構造１Ｄによって構成されている。吸音構造１Ｄは、横幅３Ｐの後方面部材２１の中央部に、開口寸法０．５Ｐの開口部２３を有し、その両横に、一対の前方面部材２２が設けられている。この場合も、吸音材３の厚み寸法Ｄ３は、１００ｍｍ以上あればよい。
【００８４】
このように、側壁の横幅が２Ｐよりも大きい場合には、前方面部材２２の横幅寸法Ｄ２を、１．５Ｐより大きくしてもよい。
【００８５】
＜他の実施の形態＞
上記各実施の形態の吸音構造では、前方面部材２２と開口部２３とが横幅方向に隣接するように配置されることとしたが、これらは上下方向に隣接して配置されてもよい。この場合、図２１に示される側壁９２のように、上下方向中央部に開口部２３が設けられてもよい。
【００８６】
また、上記各実施の形態では、吸音構造の後方面部材２１および前方面部材２２は、防音室の側壁を構成することとしたが、図２１に示されるように、これらは防音室の床９１あるいは天井９６を構成してもよい。つまり、吸音構造の後方面部材２１および前方面部材２２は、防音室の側壁９２〜９５、床９１および天井９６のうちの少なくともいずれかを構成していればよい。
【００８７】
あるいは、吸音構造の後方面部材２１のみが、防音室の側壁９２〜９５、床９１および天井９６のうちの少なくともいずれかを構成してもよい。つまり、前方面部材２２は、防音室の構成面（後方面部材２１）の前方に、単に反射パネルとして配置されてもよい。
【００８８】
あるいは、各実施の形態に示した吸音構造は、防音室に予め組み込まれていなくてもよい。つまり、吸音構造は、図２２に示すような、可搬式の吸音装置として実現されてもよい。
【００８９】
図２２を参照して、吸音装置１０は、たとえば、実施の形態２の変形例の吸音構造１Ｂと実施の形態３の吸音構造１Ｃとを組み合わせた、吸音構造１Ｅを有している。そのため、吸音装置１０は、一例として、低音音響可変機構５Ａ（図１７）と、音響可変機構６とを有している。そのため、吸音装置１０によって、音域別（周波数別）に音響を変更することができる。なお、図２２では、音響可変機構６が全閉の状態が示されている。
【００９０】
この場合、後方面部材２１および前方面部材２２は、吸音装置１０の筐体の一部を構成する。吸音装置１０は、後方面部材２１および前方面部材２２の他、吸音材３の上端面、下端面、および両側面をそれぞれ塞ぐ面部材８１〜８４によって囲まれていてもよい。
【００９１】
吸音装置１０においても、後方面部材２１および前方面部材２２の形状はいずれも矩形形状である。図２２の矢印Ａ２で示す所定方向（前方面部材２２と開口部２３とが隣接する方向）を一方方向とすると、後方面部材２１の一方方向の長さは２Ｐであり、前方面部材２２の一方方向の長さは１．５Ｐであることが望ましい。後方面部材２１および前方面部材２２の他方方向の長さは、１Ｐ以上であることが望ましい。
【００９２】
上記のような吸音装置１０を部屋内の所望の位置に設置することで、その部屋をオーディオルームのように使用することができる。また、吸音装置１０は、音域別に音響を変更することもできるため、オーディオチューンとしても機能させることができる。吸音装置１０は、所定方向が部屋の側壁の横幅方向に一致するように設置されてもよいし、所定方向が部屋の上下方向に一致するように設置されてもよい。
【００９３】
なお、図２２の吸音装置１０の例では、後方面部材２１および前方面部材２２の形状は矩形形状としたが、このような形状に限定されない。後方面部材２１および前方面部材２２は、少なくとも所定方向に長さを有し、所定方向に前方面部材２２と開口部２３とが隣接して配置されていればよい。
【００９４】
以上、本発明の実施の形態について説明したが、上記各実施の形態や変形例を適宜組み合わせてもよい。
【００９５】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００９６】
１，１Ａ，１Ｂ，１Ｃ，１Ｄ，１Ｅ  吸音構造、３  吸音材、４，４Ａ  下地部材、５，５Ａ  低音音響可変機構、６  音響可変機構、９，９Ａ  防音室、１０  吸音装置、２１  後方面部材、２２  前方面部材、２３  開口部、２４  第１領域、２５  第２領域、２６  境界面、３１  露出吸音部、３２  背後吸音部、４１  縦桟、４２  横桟、５１  仕切り部材、５２  仕切り桟、５３  操作レバー、６１  羽板、７１  仕切り材、８１〜８４  面部材、９１  床、９２〜９５  側壁、９６  天井、１０１〜１０５  壁構造、２２０  操作用開口、２５０  空洞部。
【図１】
0006275608.tif 000002
【図２】
0006275608.tif 000003
【図３】
0006275608.tif 000004
【図４】
0006275608.tif 000005
【図５】
0006275608.tif 000006
【図６】
0006275608.tif 000007
【図７】
0006275608.tif 000008
【図８】
0006275608.tif 000009
【図９】
0006275608.tif 000010
【図１０】
0006275608.tif 000011
【図１１】
0006275608.tif 000012
【図１２】
0006275608.tif 000013
【図１３】
0006275608.tif 000014
【図１４】
0006275608.tif 000015
【図１５】
0006275608.tif 000016
【図１６】
0006275608.tif 000017
【図１７】
0006275608.tif 000018
【図１８】
0006275608.tif 000019
【図１９】
0006275608.tif 000020
【図２０】
0006275608.tif 000021
【図２１】
0006275608.tif 000022
【図２２】
0006275608.tif 000023